(57)【要約】      （修正有）【課題】引き込みユニットを小型化し、既存の抽斗、引き戸等に組み込むことができる可能性を高くする。  【解決手段】引き出し装置の突起部と係合して引き出しを所定方向に移動させるための引き込みユニットであって、該ユニットは、回転型ダンパ６８が取り付けられた基体３１と、回転型ダンパ６８の回転側に設けられた周面体７４と、これと係合して連動するフレキシブルな長尺状伝達部材７８を一方向に付勢するスプリング８２と、長尺状伝達部材７８に連結された移動部材３８に設けられた第１係合部５８と第２係合部６０と、移動部材３８の移動方向の移動端において係止するとともに、突起部６からの押圧力によって解除される係止手段とを備えている。移動部材３８はその係止状態から解除されると、該移動部材３８がスプリング８２によって一方向に所定ストローク移動し、該移動に対して、回転型ダンパ６８の制動力が長尺状伝達部材７８を介して付与される。【選択図】  図１
2006320495.tif 000002
【特許請求の範囲】
【請求項１】
引き出し装置の突起部と係合して引き出しを所定方向に移動させるための引き込みユニットであって、基体と、該基体に取り付けられた回転型ダンパと、該回転型ダンパの制動力が作用する該回転型ダンパの回転側に設けられた周面体と、直線方向に伸びる部分と前記周面体の周面に対面する部分とを有し前記周面体との間に摩擦あるいは係合構造が形成され前記直線部分の少なくとも一方向の移動運動を前記周面体の回転運動に変換するためのフレキシブルな長尺状伝達部材と、該長尺状伝達部材の一部分を一定範囲内で直線的に保持させるための直線方向保持手段と、前記長尺状伝達部材の他の部分を前記周面体に対面させるための周面対面保持手段と、前記長尺状伝達部材を一方向に付勢する前記基体側に設けられた付勢手段と、前記長尺状伝達部材の直線部分に連結された移動部材と、該移動部材を前記基体に沿って所定のストロークの範囲内で直線的に移動自在に案内する移動部材案内機構と、前記突起部が前記移動部材に対して一方向に相対移動するとき該突起部に係合するための前記移動部材に設けられた第１係合部と、前記突起部が前記移動部材に対して他の方向に相対移動するとき該突起部に係合するための前記移動部材に設けられた第２係合部と、前記付勢手段の付勢力に抗した前記移動部材の移動方向の移動端において該移動部材の移動を解除可能に係止するとともに該係止が前記第１係合部に対する前記突起部の一方向の相対移動による押圧力によって解除されるようにした係止手段とを備え、前記移動部材がその係止状態から解除されると、該移動部材が前記付勢手段の付勢力によって一方向に所定ストローク移動し、該移動に対して、前記回転型ダンパの制動力が前記長尺状伝達部材を介して付与されるようにしたことを特徴とする引き込みユニット。
【請求項２】
前記直線方向保持手段と周面対面保持手段は、前記基体に前記周面体から一定距離離れた位置に回転自在に反転部材を設け、該反転部材と前記周面体との間に無端状に形成した長尺状伝達部材を掛け渡した構成とし、該無端状の長尺状伝達部材が前記周面体と反転部材間で直線的に保持されるとともに、該長尺状伝達部材が前記周面体に対面するようにしたことを特徴とする請求項１に記載の引き込みユニット。
【請求項３】
前記直線方向保持手段は、前記長尺状伝達部材を直線方向にスライド自在に規制する規制面を有するガイド部材により構成され、前記周面対面保持手段は、前記周面体の周面に沿ってこれに対向して形成された規制面を有するガイド部材によって構成され、前記長尺状伝達部材が該規制面により規制されて少なくとも前記移動部材の移動ストロークの範囲内において、直線的に保持されるとともに前記周面体の周面に対面するようにし、前記長尺状伝達部材を両端が開放された部材としたことを特徴とする請求項１に記載の引き込みユニット。
【請求項４】
前記周面体の周面に歯車を形成し、前記長尺状伝達部材は、その全移動工程において前記周面体の歯車に噛み合うフレキシブルな歯付きベルトであることを特徴とする請求項１乃至請求項３の中のいずれか１つの請求項に記載の引き込みユニット。
【請求項５】
前記長尺状伝達部材はタイミングベルトであることを特徴とする請求項１乃至請求項４の中のいずれか１つの請求項に記載の引き込みユニット。
【請求項６】
前記回転型ダンパは、ケーシングと軸部材との間の相対回転に抵抗力を与える抵抗手段を内蔵した有限角の回転オイルダンパであり、前記ケーシングと軸部材とのいずれか一方が前記基体に対して回転不能に構成され、いずれか他方はこれに対して相対回転可能であることを特徴とする請求項１乃至請求項５の中のいずれか１つの請求項に記載の引き込みユニット。
【請求項７】
前記長尺状伝達部材を一方向に付勢する付勢手段は、前記移動部材に一端が取り付けられ、前記基体に他端が取り付けられたスプリングであり、前記スプリングの前記移動部材に対する取付部と前記基体に対する取付部との間において前記スプリングの向きが変更するように前記基体に前記スプリングの向きを変更させるためのガイド部材を設けたことを特徴とする請求項１乃至請求項６の中のいずれか１つの請求項に記載の引き込みユニット。
【発明の詳細な説明】
【技術分野】
【０００１】
本発明は、抽斗、引き戸等の引き出し装置に用いられる引き込みユニットに関する。
【背景技術】
【０００２】
従来の抽斗、引き戸等の引き出し装置に用いられる引き込み装置は長尺のラックギアにピニオンギアを噛合せしめ、上記ピニオンギアの回転を回転型ダンパ機構により制動する構成が採用されていた。
引き込み装置の基体に移動自在に支承された移動部材の直線移動を回転運動に変換するのにラックギアとピニオンギアを利用する構成を採用する場合、2つの方法が考えられる。第１の方法は、図１７に示すように、移動部材２側に長尺のラックギア２２を取付け、固定側（基体１２）側に回転型ダンパ４を取付け、回転型ダンパ４の回転部に設けた歯車２０を上記ラックギア２２の歯部に噛合せしめる方法であり、第２の方法は、固定側（基体側）に長尺のラックギアを取付け、移動部材側に回転型ダンパを取付け、回転型ダンパの回転部に設けた歯車を上記ラックギアの歯部に噛合せしめる方法である（例えば特許文献１参照）。
図１８と図１９及び図２０と図２１は、第２の方法を採用した従来装置を示している。
【０００３】
図１８において、２は移動部材、４は移動部材２に搭載された回転型ダンパ、１２は基体、１４，１６は基体１２を引き出し装置の引き出し又は外箱の底板に固定するための支持ブロック、１８は、基体１２に移動自在に支持された、移動部材２を基体１２の長手方向に沿って一方の支持ブロック１４に向けて付勢するコイルばねである。軸側が移動部材２に固定された回転型ダンパ４の回転側には歯車２０が固設され、該歯車２０は、基体１２側のラックギア２２と噛み合っている。２４は、第１、第２係合部８，１０が形成された係合部材２６を支承するスライダであり、基体１２にスライド自在に取り付けられ、移動部材２と連結している。図２０において、２８は、保持体であり、移動部材２に固設され、係合部材２６を、回転型ダンパ４の搭載位置に対して、装置の移動部材２の移動方向に直角方向に支持している。他の構成は図１８に示す従来装置と同一である。
【０００４】
上記した従来装置の構成において、引き出しが外箱から引き出された状態では、移動部材２は、図中、基体１２の右端にばね１８の弾発力に抗して移動しており、該位置に、係止手段（図示省略）により係止されている。引き出しを外箱から引き出された状態から、外箱の奥方向に手で押し込むと、突起部６が第１係合部８と係合し、突起部６の第１係合部８に対する押動力により、移動部材２に対する係止状態が外れ、移動部材２は、ばね１８の弾発力により、基体１２に沿って図中、左方向に移動する。このとき、突起部６は、第２係合部１０と係合し、ばね１８による移動部材２側の移動力を引き出しに伝達し、引き出しは、外箱の奥方向にばね力によって引き込まれる。移動部材２の基体１２に沿ったばね１８の弾発力による移動に対しては、回転型ダンパ４の制動力が移動部材２の移動に対して付与され、引き出しは急動することなくゆっくりと外箱の奥に引き込まれる。
【特許文献１】特開平５−３１７１３３号公報
【発明の開示】
【発明が解決しようとする課題】
【０００５】
第1の方法を採用した場合は、図１７に示すように、移動部材２は長尺のラックギア２２を搭載した状態で移動するため、引き込み装置の大きさが、上記移動部材２の移動方向に極めて長尺になってしまい、大型とならざるを得ない。
一方、第２の方法を採用した場合は、図１８及び図２０に示すように、移動部材２は回転型ダンパ４を搭載した状態で基体１２に形成された移動経路を移動することになる。この場合、移動部材２には、上記移動部材２に、被引き込み部材に設けられた突起部６の移動経路に突出して設けられ、上記被引き込み部材に設けられた突起部６が、その一方向の移動経路において係合可能な第１係合部８と、その他方向の移動経路において係合可能な第２係合部１０とを設ける必要があり、移動部材２に回転型ダンパ４を搭載する位置によって、図１８に示す従来装置のように、上記第１係合部８と第２係合部１０とが上記回転型ダンパ４搭載位置に対して、上記移動部材２の移動方向に対して幅方向ｄ、上記移動部材２の移動方向Ｘ、若しくは、図２０，２１に示す従来装置のように、上記移動部材２の移動方向に対して直角方向Ｙに突出して配置せざるを得ない。
【０００６】
上記第１係合部８と第２係合部１０とが上記回転型ダンパの搭載位置に対して上記移動部材２の移動方向に対して直角方向の位置に配置される場合にはその方向、即ち、引き込み装置の幅方向のサイズが大きくなり、その結果装置全体が大型となってしまう。また、上記第１係合部８と第２係合部１０が上記回転型ダンパ４の搭載位置に対して、上記移動部材２の移動方向に配置される場合にはその方向、即ち、引き込み装置長手方向のサイズが大きくなり、その結果装置全体が大型となってしまう。また、上記第１係合部８第２係合部１０とが上記回転型ダンパ４の搭載位置に対して、装置の厚み方向に配置される場合には、厚み方向にスぺ−スを必要とすることになる。そして、特に、上記第１係合部と第２係合部とを上記回転型ダンパの搭載位置に対して、上記移動部材の移動方向に対して直角方向、若しくは、装置の厚み方向に配置せしめた場合においては、これらが移動する全範囲において装置がスぺ−スを専有することになる。
【０００７】
結局、第１の方法であっても第２の方法であっても、ラックギアとピニオンギアを利用する構成を採用する場合には、引き込み装置が専有するスぺ−スが大きくなり、引き込み装置全体として大型とならざるを得ない。
本件引き込み装置を、抽斗、引き戸等引き出し装置の設計段階から組み付け設計をし生産する場合においては、引き込み装置部分の占めるスぺ−スが大きくなってしまっても設計は可能であろうし、それほど大きな問題となることもない。しかしながら、既に完成された抽斗、引き戸等に、後から引き込み装置を取付けようとした場合即ち、引き込み装置をそれ自体ユニットとして考えた場合においては、既に完成された抽斗引き戸等に引き込み装置ユニットを配置するスペースに制限があり、引き込み装置ユニットを配置するスペースが充分にないものも多く存在することになる。そして、そのようなものの場合には、引き込み装置ユニットを組み込むこと自体が不可能となってしまう。
以上の状況に鑑み、本件発明は、引き込み装置ユニットを極力小型化し、既存の抽斗、引き戸等にこれを組み込むことができる可能性を大幅に高く出来る様にすることを目的とする。    
【課題を解決するための手段】
【０００８】
上記目的を達成するため本発明は、引き出し装置の突起部と係合して引き出しを所定方向に移動させるための引き込みユニットであって、基体と、該基体に取り付けられた回転型ダンパと、該回転型ダンパの制動力が作用する該回転型ダンパの回転側に設けられた周面体と、直線方向に伸びる部分と前記周面体の周面に対面する部分とを有し前記周面体との間に摩擦あるいは係合構造が形成され前記直線部分の少なくとも一方向の移動運動を前記周面体の回転運動に変換するためのフレキシブルな長尺状伝達部材と、該長尺状伝達部材の一部分を一定範囲内で直線的に保持させるための直線方向保持手段と、前記長尺状伝達部材の他の部分を前記周面体に対面させるための周面対面保持手段と、前記長尺状伝達部材を一方向に付勢する前記基体側に設けられた付勢手段と、前記長尺状伝達部材の直線部分に連結された移動部材と、該移動部材を前記基体に沿って所定のストロークの範囲内で直線的に移動自在に案内する移動部材案内機構と、前記突起部が前記移動部材に対して一方向に相対移動するとき該突起部に係合するための前記移動部材に設けられた第１係合部と、前記突起部が前記移動部材に対して他の方向に相対移動するとき該突起部に係合するための前記移動部材に設けられた第２係合部と、前記付勢手段の付勢力に抗した前記移動部材の移動方向の移動端において該移動部材の移動を解除可能に係止するとともに該係止が前記第１係合部に対する前記突起部の一方向の相対移動による押圧力によって解除されるようにした係止手段とを備え、前記移動部材がその係止状態から解除されると、該移動部材が前記付勢手段の付勢力によって一方向に所定ストローク移動し、該移動に対して、前記回転型ダンパの制動力が前記長尺状伝達部材を介して付与されるようにしたものである。
また本発明は、前記直線方向保持手段と周面対面保持手段は、前記基体に前記周面体から一定距離離れた位置に回転自在に反転部材を設け、該反転部材と前記周面体との間に無端状に形成した長尺状伝達部材を掛け渡した構成とし、該無端状の長尺状伝達部材が前記周面体と反転部材間で直線的に保持されるとともに、該長尺状伝達部材が前記周面体に対面するようにしたものである。
また本発明は、前記直線方向保持手段は、前記長尺状伝達部材を直線方向にスライド自在に規制する規制面を有するガイド部材により構成され、前記周面対面保持手段は、前記周面体の周面に沿ってこれに対向して形成された規制面を有するガイド部材によって構成され、前記長尺状伝達部材が該規制面により規制されて少なくとも前記移動部材の移動ストロークの範囲内において、直線的に保持されるとともに前記周面体の周面に対面するようにし、前記長尺状伝達部材を両端が開放された部材としたものである。
また本発明は、前記周面体の周面に歯車を形成し、前記長尺状伝達部材は、その全移動工程において前記周面体の歯車に噛み合うフレキシブルな歯付きベルトであることを特徴とするものである。
また本発明は、前記長尺状伝達部材はタイミングベルトであることを特徴とするものである。
また本発明は、前記回転型ダンパは、ケーシングと軸部材との間の相対回転に抵抗力を与える抵抗手段を内蔵した有限角の回転オイルダンパであり、前記ケーシングと軸部材とのいずれか一方が前記基体に対して回転不能に構成され、いずれか他方はこれに対して相対回転可能であることを特徴とするものである。
また本発明は、前記長尺状伝達部材を一方向に付勢する付勢手段は、前記移動部材に一端が取り付けられ、前記基体に他端が取り付けられたスプリングであり、前記スプリングの前記移動部材に対する取付部と前記基体に対する取付部との間において前記スプリングの向きが変更するように前記基体に前記スプリングの向きを変更させるためのガイド部材を設けたものである。
【発明の効果】
【０００９】
本発明は、従来に比し、引き込みユニットを大幅に小型化することができ、既存の抽斗、引き戸等にこれを組み込むことができる可能性を大幅に高くすることが出来る。
【発明を実施するための最良の形態】
【００１０】
以下に本発明の実施の形態を添付した図面を参照して詳細に説明する。
図１において、３１は、本発明に係る引き込みユニット３０の基体であり、ケーシングを兼ねている。該基体３１は樹脂の成型品であり、図２、図３に示すように、本体部３２と、これの一部の開放部に固定されたカバー３４とからなり、該基体３１の収納空間部内に、後述する引き込み構成要素が収納配置され、基体３１及びこれらの構成要素が全体として、引き込み装置として単一化（ユニット化）されている。前記基体３１の両側壁部３２ａ，３２ｂには、移動部材ガイド用の溝３６が形成されている。前記溝３６は、基体３１の長手方向に沿って伸びる直線部分３６ａと、これに対して略直角な係止部分３６ｂ、該係止部分３６ｂと直線部分３６ａとの連結部に形成されたわん曲部３６ｃとを備えている。
【００１１】
３８は移動部材であり、スライダ４０と、これに回転自在に結合する係合部材４２とから構成されている。前記スライダ４０には、図８に示すように、互いに平行な突片の両側に細長状の嵌合凸部４４，４６が形成され、該嵌合凸部４４，４６は、前記溝３６の直線部分３６ａにスライド自在に嵌合している。前記係合部材４２には、前後に所定間隔を存して、図７に示すように、左右に伸びる軸状の嵌合凸部４８と５０が突設され、該嵌合凸部４４，４６，４８，５０は、前記溝３６にスライド自在に嵌合している。前記スライダ４０の、図８Ａに示す、穴５２，５４は、前記嵌合凸部４８に回転自在に嵌合している。前記係合部材４２には、一体的にＵ字形のチャック部５６が形成され、該チャック部５６の前後には、第１係合部５８と第２係合部６０が所定の間隔を存して形成されている。
【００１２】
また、前記係合部材４２には、非常用の係合部材６２が形成され、該係合部材６２は、細長状のばね部６４を介して係合部材４２に一体的に結合している。前記非常用係合部材６２には、傾斜面６２ａに隣接して第３係合部６６が形成されている。６８は、回転型ダンパであり、図９に示すように、その軸部７０が基体３１に固定され、該回転型ダンパ６８の上記軸部７０に対して相対的に回転自在な外枠（ケーシング）７２の外周部に、タイミングベルト用のプーリからなる周面体７４が形成されている。前記回転型ダンパ６８は、前記外枠７２と軸部７０との間の相対回転に抵抗力を与える粘性流体等の抵抗手段を内蔵している。前記周面体７４に対応して、前記基体３１の他方には、タイミングベルト用アイドラプーリからなる反転部材７６が回転自在に軸支され、該周面体７４と反転部材７６間にフレキシブルな無端状のタイミングベルトからなる長尺状伝達部材７８が掛け渡されている。
【００１３】
前記長尺状伝達部材７８の一方の直線部分には、スライダ４０が、チャック部８０を介して結合している。８２はフレキシブルなコイルスプリングからなる引込スプリングであり、これの一端は、取付具８４を介して、係合部材４２に係合し、他端は、基体３１の一方側に取付具８６を介して、位置調整可能に結合している。前記引込スプリング８２の中間部はわん曲され、該わん曲部に前記基体３１に形成されたばねガイド８８の、引込スプリング８２の向きを変更させるための、わん曲部が対向し、前記引込スプリング８２の一方の直線部には、前記ばねガイド８８の直線部が対向している。前記嵌合凸部４８，５０が前記溝３６の係止部分３６ｂに嵌入したとき、前記引込スプリング８２と係合部材４２との結合部の位置即ち取付具８４の位置は、図１中、仮想線で示すように、係止部分３６ｂ内の嵌合凸部５０よりも、若干下方に位置している。これにより、引込スプリング８２は、係合部材４２の、係止部分３６ｂとの係合位置よりも下方を、左方向に引っ張ることになり、引込スプリング８２の引っ張り力によって、嵌合凸部５０が係止部分３６ｂから外れないようにしている。
【００１４】
前記溝３６の直線部分３６ａと、これに嵌合する嵌合凸部４６，４８，５０は、前記移動部材３８を前記基体３０に沿って所定のストロークの範囲内で直線的に移動自在に案内する移動部材案内機構を構成している。また、前記スライダ４０に対して回転自在に連結する係合部材４２に突設され溝３６にスライド自在に嵌合する嵌合凸部５０と、前記係合部材４２に形成された第１係合部５８と、前記溝３６に直角方向に形成された係止部分３６ｂは、付勢手段の付勢力に抗した移動部材の移動方向の移動端において該移動部材の移動を解除可能に係止するとともに該係止が第１係合部に対する突起部の一方向の相対移動による押圧力によって解除されるようにした係止手段を構成している。なお、この係止手段は種々の構成を採用することができ、本実施形態に示す構成に特に限定されるものではない。
次に図９、図１３及び図１４を参照して、引き込みユニット３０を引き出し装置に取り付けたときの引き込み動作について説明する。尚、図１３は、引き出し装置を真上から見た状態を示し、図１４は、引き出し装置を真横から見た状態を示している。図１３の（Ａ）〜（Ｄ）の状態は、それぞれ図１４の（Ａ）〜（Ｄ）の状態に対応している。
図１３において、９０は、抽斗、引き戸等の引き出し装置の外箱（本体）であり、これに引き出し９２が出し入れ自在に嵌合している。ここで引き出し９２は、抽斗、引き戸等の移動体を示している。
【００１５】
引き出し９２の底板には、ピンからなる突起部６が突設されている。外箱９０の底板には、前記突起部６の移動経路に前記係合部材４２が位置するように、且つ、引き出し９２の移動方向に対して溝３６の直線部分３６ａが平行となるように、基体３１が固定されている。基体３１は、引き出し９２側に取り付けても良く、その場合には、突起部６は、外箱９０側に設けることになる。引き出し９２が図１３Ａに示すように、外箱９０から引き出され突起部６が、係合部材４２から離反した状態において、嵌合凸部５０は、図９Ａに示すように、溝３６の係止部分３６ｂ内に位置し、これにより、移動部材３８は、その移動ストロークの一方端の引き込み動作待機位置に係止されている。該状態において、移動部材３８には、引込スプリング８２の引っ張り力が作用し、該引込スプリング８２によって、図９中、左方向に強く引っ張られている。
【００１６】
嵌合凸部５０が溝３６の係止部分３６ｂに嵌入している状態において、係合部材４２は、嵌合凸部４８を中心として、スライダ４０に対して、図９中、時計方向に所定角度傾斜し、この傾斜によって非常用係合部材６２が、図９Ａ中、下方向に移動している。また、係合部材４２の傾斜により、第１係合部５８の係合面と引き出し９２側の突起部６との間が開放され、第２係合部６０の上端及び非常用係合部材６２の上端が突起部６の移動経路から下方に外れた状態となっている。
上記した状態において、引き出し９２を外箱９０の中に、手操作により、挿入し、引き出し９２が、所定位置まで、図１３中、矢方向に移動すると、突起部６が、図９Ａに示すように、係合部材４２の第１係合部５８に当接する。
【００１７】
なおも、引き出し９２を矢方向に移動すると、突起部６により、係合部材４２が、図９中、左方向に押動され、係合部材４２は、図９Ａ中、嵌合凸部４８を中心として、反時計方向に回動する。これにより、嵌合凸部５０が係止部分３６ｂから引き上げられて、溝３６のわん曲部３６ｃを経て、図９ｃに示すように、溝３６の直線部分３６ａに乗り上げる。係合部材４２が嵌合凸部４８を中心として、図９中、反時計方向に所定角度回動すると、第２係合部６０が上昇する。これにより、突起部６は、図９ｃに示すように、第１と第２係合部５８，６０間のチャック部５６に係合配置される。
【００１８】
突起部６からの押動力により、嵌合凸部５０が、溝３６の係止部分３６ｂから外れると、移動部材３８に対する、係止部分３６ｂによる係止状態が解除され、移動部材３８は、引込スプリング８２の引っ張り力により、溝３６の直線部分３６ａに沿って、図９中、左方向に、図１３では、外箱９０の奥方向に矢方向に向かって、移動する。移動部材３８が、引込スプリング８２の引っ張り力により、図９中、左方向に移動すると、係合部材４２の第２係合部６０が突起部６と係合し（図９Ｃ，図１３Ｃ参照）、移動部材３８は、その移動力により、引き出し９２を外箱９０の奥方向に引き込む（図９Ｄ，図１３Ｄ参照）。このとき、移動部材３８の引込スプリング８２による移動運動は、長尺状伝達部材７８に伝達され、移動部材３８の、溝３６の直線部分３６ａに沿った図９中、左方向の移動に伴って、長尺状伝達部材７８は、図９中、左方向に移動する。
【００１９】
この長尺状伝達部材７８の移動に伴い、周面体７４と長尺状伝達部材７８との係合構造により、回転型ダンパ６８の外枠（回転側）が回転し、この回転型ダンパ６８に内蔵された粘性流体等の抵抗手段による制動トルクが、移動部材３８の、図９中、左方向の移動運動に作用し、移動部材３８は、引込スプリング８２の引っ張り力によって、急激に移動することなく、引き出し９２は、突起部６を介して、ゆっくりと適切な早さで奥方向に引き込まれる。引き出し９２が外箱９０の最奥端まで移動すると、嵌合凸部４８は、図９Ｄに示すように、丁度、溝３６の直線部分３６ａの引き込み終端又はその近傍に達するように、予め、基体３１の、外箱９０に対する取り付け位置が調整されている。
【００２０】
引き出し９２を手操作により、外箱９０に挿入された状態から、外に引き出すと、突起部６は、図９Ｄの状態から、右方向に、係合部材４２の第２係合部６０と係合した状態で、移動し、移動部材３８は、引込スプリング８２の引っ張り力に抗し、溝３６の直線部分３６ａに沿って右方向に移動する。引き出し９２が手動で所定の位置まで引き出されると、嵌合凸部５０が溝３６の係止部分３６ｂに案内され、係止部分３６ｂの奥端に達する。このとき、係合部材４２が、嵌合凸部４８を中心として、図１中、時計方向に傾き、突起部６は、第２係合部６０との係合状態から解放される。これにより、突起部６は、引き出し９２の引き出し方向の移動と連動して、移動部材３８のチャック部５６から外れて、図１中、右方向に移動する。この引き出し９２の引き出しと連動するスライダ４０の移動に対しては、回転型ダンパ６８から所要の制動力が付与される。
【００２１】
本発明に係る引き込みユニットの実施に際し、回転型ダンパ６８は、特開平６−１９３６６６号公報等に示される有限角の回転オイルダンパや、特開平７−１２７６８０号公報等に示される無限角の回転オイルダンパあるいは、摩擦抵抗を利用した実公平６−３１２７７号公報に示されるゴムの摩擦抵抗による回転型ダンパその他種々の構成のものを使用することができる。本発明の実施形態において、無限角の回転オイルダンパを利用した場合には、その全回転範囲において制動トルクは同じである。そして、その構造上、その回転位置によってこれを変えるような構成をとることはできない。ところが、抽斗、引き戸等においてこれを引き込む場合には、引き込み始めの段階においては、引き込みバネが伸びた状態にあり、従って引き込む力が大きい。
【００２２】
そして、抽斗、引き戸等が引込まれる過程において、引き込み最終地点に近付くにつれて、引き込みバネは短くなり、引き込む力は順次小さくなり、そして、引き込み最終地点においてはその力は極めて小さなものとなってしまうという欠点があった。即ち、抽斗、引き戸等は、引き込みの初期段階においては速く引込まれ、最終段階に近付くにつれて引込まれるスピードが遅くなり、場合によっては最終地点に至らないうちに止まってしまうこともある等の問題点を含んでいる。これは、制動トルクをかなり上手く設定してやる必要があることを意味し、制動トルクが大きすぎれば最終地点に至らないうちに止まってしまい、これが小さすぎれば引き込み初期段階の引き込みスピードが大きすぎることを意味する。
【００２３】
これに対して、有限角の回転オイルダンパは、その構造上、その回転位置における制動トルクを任意に設定することが可能である。従って、抽斗、引き戸等を引き込む場合に、例えば、引き込みの全工程において抽斗、引き戸等の引き込みスピードが一定になるように構成することも可能であるし、また引き込みの最終地点においてある程度強い引き込み力を残しておき、抽斗、引き戸等が不用意に引き出されてしまうことを防止するような制動トルク設定も可能である。尚、図１３（Ａ）に示すように、引き出し９２が外箱９０から引き出された状態では、移動部材３８は、図１中、仮想線で示す如く、その移動ストロークの右端に位置し、溝３６の係止部分３６ｂによって、係止されている状態が正常であるが、何らかのアクシデントにより、引き出し９２が引き出された状態において、移動部材３８が、図２に示すように、その移動ストロークの左端に移動している場合が生じることがある。
【００２４】
この場合には、移動部材３８を、図２中、右端の定常位置に戻しておく必要がある。非常用係合部材６２は、この場合の救済手段として設けられている。図１５は、移動部材３８の位置を定常位置に戻す動作を示している。
まず、引き出し９２を図１５中、矢方向で示す、閉める方向に手作業により押動し、突起部６を、非常用係合部材６２の傾斜面６２ａに衝突させ（図１５Ｂ、図１６参照）、なおも、引き出し９２を図１５Ｃに示すように、奥方向に押動すると、突起部６により、係合部材６２は、ばね部６４の弾力に抗して、基体３１から引っ込む方向に押動される。
【００２５】
突起部６が傾斜面６２ａを乗り越えると、非常用係合部材６２は、元位置にばね部６４の弾力で復帰し、突起部６は、第３の係合部６６と第２の係合部６０との間に嵌入し、突起部６は、係合部６０，６６間にチャックされる（図１５Ｃ参照）。次に、引き出し９２を図１５Ｄに示すように、矢方向に手操作で引くと、突起部６の、図１５Ｄ中、左方向の移動が第３の係合部６６を介して、移動部材３８に伝達され、移動部材３８が引き出し９２と共に、図１６中、溝３６に沿って、左方向に移動し、嵌合凸部５０が、溝３６の係止部分３６ｂに嵌入して、移動部材３８は、定常位置に戻り、該位置に係止される。
【００２６】
また、本実施形態では、移動部材と回転型ダンパとを連係させる長尺状伝達部材として無端状のタイミングベルトを使用したが、図１０乃至図１２に示すように、両端が解放されたタイミングベルト７８’を用いることができる。図１０中、タイミングベルト７８’の一方端は、スライダ４０にチャック部８０を介して結合され、他方側は、回転型ダンパ６８の外枠（回転側）に固設されたタイミングベルト用プーリからなる周面体７４に略半周にわたって掛け渡されている。基体３１には、タイミングベルト７８’を、溝３６と平行な直線方向にスライド自在に案内する規制面ａ，ｂを有するガイド部材が設けられ、該ガイド部材は、直線方向保持手段を構成している。また、タイミングベルト７８’を周面体７４の外周面に案内する、周面体７４の周面に沿ってこれに対向して形成された規制面ｃを有する、ガイド部材が設けられ、該ガイド部材は、長尺状伝達部材の他の部分を前記周面体７４の外周面に対面させるための周面対面保持手段を構成し、タイミングベルト７８’が周面体７４から外れないようにしている。他の構成は、図１に示す実施形態と略同一であり、その説明を省略する。
【００２７】
上記した構成において、移動部材３８が、図１０中、溝３６に沿って、所定のストローク内で、左右方向に移動すると、タイミングベルト７８’は、その一端部が、スライダ４０と連動して移動し、タイミングベルト７８’の他方が、周面体７４の周面に沿ってこれと噛み合い係合しながら、巻き込まれあるいは繰り出される方向に移動する。これにより、周面体７４が回転し、回転型ダンパ６８の制動トルクが移動部材３８の直線運動に対して付与される。
上記第１と第２の実施形態では、いずれも、移動部材の直線往復運動を回転型ダンパの回転側の回転運動に変換する動力伝達手段としてタイミングベルトとタイミングベルト用プーリを使用したが、本発明の実施に際しては、フレキシブルな長尺状伝達部材であれば、タイミングベルトに特に限定されるものではなく、チェーンや、単なる摩擦面を有するベルトであっても良く、また、これらに対応したプーリなどの周面体を用いることができる。
【００２８】
この場合、これらの長尺状伝達部材は無端状であっても、両端が解放された部材であっても良い。この両端が解放された部材であって単なる摩擦面を有するベルトを長尺状伝達部材として使用する場合、ダンパとして無限角ダンパを利用すれば、一方向は引張りで、ダンパの回転側部材の摩擦抵抗面との間に抵抗力を発生せしめることができるので、ダンパの回転側部材を回転せしめることができる。他方向は押し込みであり、ダンパの回転側部材の摩擦抵抗面との間に抵抗力を発生せしめることができないため、ダンパの回転側部材を回転せしめることはない。しかし、ダンパとして無限角ダンパを利用すれば、これでよいことになる。
【００２９】
また、フレキシブルな無端状の長尺状伝達部材を周面体と反転部材間に掛け渡す構成を採用した場合には、移動部材が急激に移動した場合に、長尺状伝達部材が周面体にくい込むことにより、周面体と長尺状伝達部材間にすべりや歯飛び等の現象が起こらず確実に移動部材にダンパの制動力が作用することになる。
また、両端開放の長尺状伝達部材を用いた第２の実施形態において、摩擦によるフレキシブルな長尺状伝達部材を利用し、且つ、無限角の回転型ダンパを利用した場合には、一方向のみにダンパの効果を発揮せしめる場合においても、一方クラッチを介在せしめることなく、一方向のみにダンパ効果を発揮させることができる。
尚、移動部材３８を一方向に付勢する手段は、コイルスプリングに特に限定されるものではなく、ゼンマイばねその他の付勢手段を用いることができる。
【図面の簡単な説明】
【００３０】
【図１】本発明に係る引き込みユニットの正面説明図である。
【図２】引き込みユニットの正面図である。
【図３】引き込みユニットの平面図である。
【図４】引き込みユニットの左側面図である。
【図５】引き込みユニットの背面図である。
【図６】カバーを示し、（Ａ）は正面図、（Ｂ）は底面図である。
【図７】係合部材を示し、（Ａ）は平面図、（Ｂ）は正面図、（Ｃ）は底面図、（Ｄ）は左側面図、（Ｅ）は右側面図である。
【図８】スライダを示し、（Ａ）は平面図、（Ｂ）は正面図、（Ｃ）は右側面図である。
【図９】本発明の動作説明図である。
【図１０】本発明の他の実施形態を示す正面説明図である。
【図１１】本発明の他の実施形態を示す正面説明図である。
【図１２】Ａ−Ａ線断面図である。
【図１３】本発明の動作説明図である。
【図１４】本発明の動作説明図である。
【図１５】本発明の動作説明図である。
【図１６】引き込みユニットの正面図である。
【図１７】従来技術の正面説明図である。
【図１８】従来技術の正面説明図である。
【図１９】従来技術の平面説明図である。
【図２０】従来技術の正面説明図である。
【図２１】従来技術の平面説明図である。
【符号の説明】
【００３１】
２      移動部材
４      回転型ダンパ
６      突起部
８      第１係合部
１０    第２係合部
１２    基体
１４    支持プロック
１６    支持ブロック
１８    ばね
２０    ピニオンギア
２２    ラックギア
２４    スライダ
２６    係合部材
２８    保持体
３０    引き込みユニット
３１    基体
３２    本体部
３４    カバー
３６    溝
３６ａ  直線部分
３６ｂ  係止部分
３６ｃ  わん曲部
３８    移動部材
４０    スライダ
４２    係合部材
４４    嵌合凸部
４６    嵌合凸部
４８    嵌合凸部
５０    嵌合凸部
５２    穴
５４    穴
５６    チャック部
５８    第１係合部
６０    第２係合部
６２    係合部材
６４    ばね部
６６    第３係合部
６８    回転型ダンパ
７０    軸部
７２    外枠
７４    周面体
７６    反転部材
７８    長尺状伝達部材
８０    チャック部
８２    引込スプリング
８４    取付具
８６    取付具
８８    ばねガイド
９０    外箱
９２    引き出し
９４    ガイド部
【図１】
2006320495.tif 000003
【図２】
2006320495.tif 000004
【図３】
2006320495.tif 000005
【図４】
2006320495.tif 000006
【図５】
2006320495.tif 000007
【図６】
2006320495.tif 000008
【図７】
2006320495.tif 000009
【図８】
2006320495.tif 000010
【図９】
2006320495.tif 000011
【図１０】
2006320495.tif 000012
【図１１】
2006320495.tif 000013
【図１２】
2006320495.tif 000014
【図１３】
2006320495.tif 000015
【図１４】
2006320495.tif 000016
【図１５】
2006320495.tif 000017
【図１６】
2006320495.tif 000018
【図１７】
2006320495.tif 000019
【図１８】
2006320495.tif 000020
【図１９】
2006320495.tif 000021
【図２０】
2006320495.tif 000022
【図２１】
2006320495.tif 000023